(57)【特許請求の範囲】
【請求項１】
スラブ状の本体部とこの本体部の側部に沿って形成された格子部とを備え、上記の本体部は金属板材から形成された皿状の本体皿部材内に充填材が充填されており、また上記の格子部は上記の本体皿部材の側部と平行なベアリングバーを備えているスリット付きグレーチングにおいて、
上記のベアリングバーの中間部を上記の本体皿部材の側部に支持させる支持部材を備えており、この支持部材の上端部には上記のベアリングバーを保持するベアリンクバー保持部を有し、またこの支持部材は上記の本体皿部材の側壁部と直交する方向に沿って設けられた金属板材からなる支持ウエブ部を有し、この支持ウエブ部は、上記の本体皿部材の側壁部に当接して接合される側壁接合部と、上記の本体皿部材の底壁部の下面まで延長されこの底壁部の下面に当接して接合される底壁接合部とを有しており、
前記の支持部材は、金属板材を倒立Ｕ字状に折曲して構成され、その一対の両脚部がそれぞれ一対の前記支持ウエブ部に構成されていて、
前記の一対の支持ウエブ部に形成された一対の前記底壁接合部の先端部は互いに対向する方向に折曲されて先端折曲部を構成しており、この一対の底壁接合部と先端折曲部で構成される枠状部分内に弾性材料からなるブロック状の脚部材が嵌合されていることを特徴とするスリット付きグレーチング。
【請求項２】
前記の支持ウエブ部の下縁角部には段状の切欠部が形成されていることを特徴とする請求項１のスリット付きグレーチング。
【発明の詳細な説明】
【０００１】
【発明の属する技術分野】
本発明は、スラブ状の本体部と、この本体部の側部に沿って形成され雨水等の排水をなす格子部とを備えたスリット付きグレーチングに関する。さらに特定すれば、本発明は上記のようなスリット付きグレーチングにおいて、格子部のベアリングバーを本体部に支持する部分の構造に関するものである。
【０００２】
【従来の技術】
従来から、排水溝や排水ますの蓋体として、スリット付きグレーチングがある。このようなスリット付きグレーチングの概略を図４および図５を参照して説明すれば、このスリット付きグレーチングはスラブ状の本体部１と、この本体部１の側部に沿って形成された格子部５とを備えている。このようなスリット付きグレーチングは、本体部１が化粧モルタルやタイル等、スラブ状のものであるため、外観が良好であるとともに障害なく歩行ができ、また雨水等は上記の格子部５を透過して排水されるので、このスラブ状の本体部１の上に水が溜まることもない等の特徴を有する。
【０００３】
ところで、このようなスリット付きグレーチングの本体部１は、一般にステンレス鋼板等をプレス成型した浅皿状の本体皿部材を備えており、この本体皿部材内に化粧モルタルを充填したり、または充填したモルタル上にタイル、石材を張り付けたりしてその上面を平坦なスラブ状に形成してある。
【０００４】
また、上記の格子部５は、この本体部の側部に沿って並行に配置された数本のベアリングバーから構成されている。これらのベアリングバーの両端部は、このスリット付きグレーチングの端板材４等に接合保持されているとともに、中間部の撓み防止と補強のため、これらベアリングバーの中間部の数箇所が支持部材により上記の本体部の側部に接合保持されている。
【０００５】
しかしながら、この本体部を構成する本体皿部材は、一般に薄い板材で形成されているので、上記の支持部材をこの本体皿部材の側壁部等に溶接しても、この側壁部が容易に変形してしまうため、強固な保持ができない。このため、従来からこの格子部のベアリングバーの中間部を支持する構造は、各種の補強構造が採用されており、図５にはその一例を示す。
【０００６】
すなわち、図４中の２は本体皿部材を示し、薄板材で構成され、側壁部２ａと底壁部２ｂとを備え、内部には前述のようにモルタル３等が充填されている。また、上記の格子部５は複数、たとえば３本のベアリングバー６から構成されており、これらは本体部１の側部に平行に配置されている。そして、これらのベアリングバー６の長手両端部および中間部は、支持部材７´により支持されている。この支持部材７´は板材から構成されており、その上端部には上記のベアリングバー６が嵌合して溶接等により接合され、またその側部は本体皿部材２の側壁部２ａに接合されている。
【０００７】
この場合に、上述のようにこの本体皿部材２は比較的薄い板材で形成されているとともに、上記の支持部材７´が溶接される側壁部２ａには曲げ荷重が作用することになる。このような比較的薄い板材に局部的な曲げ荷重が作用した場合には、一般にその曲げ荷重に対する剛性が小さくなる。このため、このような従来のものは、その剛性の低下を防止するために、この支持部材７´が取り付けられる部分に厚板材をＬ字状に折曲した補強部材３０をこの側壁部２ａと底壁部２ｂとにわたって密着させて溶接等により接合し、この補強部材３０の上に上記の支持部材７´を溶接等により接合している。
【０００８】
また、この補強部材３０の下面には、厚板材からなる脚部材３１が溶接され、この脚部材３１の下面には合成ゴム等の弾性材料からなる緩衝部材３２が接着されている。
【０００９】
このような従来のものは、上記の補強部材３０より本体皿部材２が補強され、その剛性や強度を高め、ベアリングバー６の中間部を安定して強固に支持することができる。しかし、このような従来のものは、上記のような補強部材３０を設ける必要があり、部品点数および溶接工程が多くなり、製造コストが高くなるという不具合を生じる。また、上記のように、脚部材３１や緩衝部材３２を別に取り付ける必要があり、やはり部品点数や工程数が増加し、製造コストの上昇を招くことになる。
【００１０】
また、このようなスリット付きグレーチングをたとえば施工の終了した排水溝に装着する場合には、このスリット付きグレーチングを排水溝の枠に長手方向から順に滑り込ませているが、この際に脚部材３１の緩衝部材３２が排水溝の枠に対して摺動する。したがって、この摺動の際に、脚部材３１に接着した緩衝部材３２が剥離するという不具合を生じることもあった。
【００１１】
【発明が解決しようとする課題】
本発明は以上の事情に基づいてなされたもので、構造が簡単で部品点数や溶接工程が少なく、製造コストを低減することができ、かつベアリングバーの中間部を安定して強固に支持することができる構造のスリット付きグレーチングを提供するものである。
【００１２】
【課題を解決するための手段】
請求項１に記載の本発明は、格子部のベアリングバーの中間部を本体部の本体皿部材の側部に支持させる支持部材を備えており、この支持部材の上端部には上記のベアリングバーを保持するベアリンクバー保持部を有し、またこの支持部材は上記の本体皿部材の側壁部と直交する方向に沿って設けられた金属板材からなる支持ウエブ部を有し、この支持ウエブ部は、上記の本体皿部材の側壁部に当接して接合される側壁接合部と、上記の本体皿部材の底壁部の下面まで延長されこの底壁部の下面に当接して接合される底壁接合部とを有しているものである。
【００１３】
したがって、このベアリングバーに作用する荷重は、この板状の支持ウエブ部の面方向に沿う剪断荷重として支承され、本体皿部材に伝達されて支持される。この場合に、上記の支持ウエブ部の受ける荷重は面方向の剪断荷重であり、その荷重方向の剛性は極めて高く、またこの支持ウエブ部の側壁接合部と底壁接合部とが本体皿部材の側壁部と底壁部に一体的に接合されているので、この支持ウエブ部材自体がこの本体皿部材の補強部材として作用し、この本体皿部材の局部的な変形を防止し、ベアリングバーの中間部を高い剛性と強度で安定して支持することができる。また、このものは部品点数が支持部材１個であり、またその溶接工程も１工程ですみ、製造が容易でコストを大幅に低減することができる。
【００１４】
また、請求項１に記載の本発明は、前記の支持部材は、金属板材を倒立Ｕ字状に折曲して構成され、その一対の両脚部がそれぞれ一対の前記支持ウエブ部に構成されているものである。したがって、１個の支持部材に２個の支持ウエブ部が形成されるとともに、これらで箱状の構造が構成されるので、その剛性および強度が一層高くなる。
【００１５】
また、請求項１に記載の本発明は、前記の一対の支持ウエブ部に形成された一対の前記底面接合部の先端部は互いに対向する方向に折曲されて先端折曲部を構成しており、この一対の底面接合部と先端折曲部で構成される枠状部分内に弾性材料からなるブロック状の脚部材が嵌合されているものである。したがって、この支持ウエブ部材が枠状となり、構造的に強固であるとともに、この支持ウエブ部材の底面接合部と先端折曲部で構成される枠状部分内に脚部材を嵌合保持させることができ、構造が簡単で製造が容易となる。さらに、この脚部材は機械的に強固に嵌合保持されるので、前述したようにこのスリット付きグレーチングを排水溝等に装着する際に、このスリット付きグレーチングを排水溝の枠内で長手方向に摺動させてもこの脚部材が脱落することはない。
【００１６】
また、請求項２に記載の本発明は、前記の支持ウエブ部の下縁角部には段状の切欠部が形成されているものである。したがって、このスリット付きグレーチングを着脱する際に、この支持ウエブ部の下角部が排水溝や排水ますの枠部に干渉するのを防止し、円滑な着脱が可能である。また、このスリット付きグレーチングを着脱する場合にはベアリングバーの間に鉤状工具を挿入してこの支持ウエブ部の下縁に引っ掛けて持ち上げるが、上記の切欠部は段状をなしているので、この鉤状工具が滑ることがなく、作業が容易かつ安全となる。
【００１７】
【発明の実施の形態】
以下、図１ないし図３を参照して本発明の一実施形態を説明する。この実施形態のものは、排水溝用のスリット付きグレーチングで、全体がステンレス鋼材料で形成されている。
【００１８】
図中の１は本体部、５はその両側部に沿って形成された格子部である。上記の本体部１は、比較的薄いステンレス板材を屈曲して形成した浅い皿状の本体皿部材２を備え、この本体皿部材２は側壁部２ａと底壁部２ｂとを備えている。そして、この本体皿部材２内には、たとえばモルタル等の充填材３が充填され、その上面は平坦に形成され、この本体部１はスラブ状に形成されている。なお、この本体部１の上面は、化粧モルタルで仕上げられ、また仕様に応じてタイル、石材等で仕上げられている。
【００１９】
また、この本体皿部２の両端部には厚いステンレス鋼板材で形成された端板材４が溶接されている。なお、この端板材４の下角部には斜めに切除された切欠部８が形成され、このスリット付きグレーチングを排水溝に着脱する際に、この排水溝の枠部にこれら端板材４の下角部が干渉するのが防止され、円滑な着脱が可能となっている。
【００２０】
また、上記の格子部５は、複数のベアリングバー６から構成されている。これらのベアリングバー６は、ステンレス鋼の型材から構成され、たとえば３本ずつのベアリングバー６が互いに所定の間隔をもって上記の本体部１の縁部と平行に配置され、それらの両端部はそれぞれ上記の端板材４に溶接されている。なお、この実施形態では、上記のベアリングバー６はその断面形状が矩形のものであるが、このベアリングバーはその断面形状がＩ字状、Ｔ字状、その他の形状のものが採用可能である。
【００２１】
そして、これらのベアリングバー６の中間部の数箇所、たとえば中央部と両端部の３か所には支持部材７が設けられ、これらのベアリングバー６の中間部を上記の本体部１の本体皿部材２に支持し、その剛性と強度を高めるように構成されている。
【００２２】
図２および図３には、この支持部材７による支持部分の構成を示す。上記の支持部材７は、比較的薄いステンレス鋼板材を倒立Ｕ字状に折曲したもので、折曲部１１と、その両側に形成された一対の平板状の支持ウエブ部１０とを備えている。これらの支持ウエブ部１０は、上記の本体皿部材２の側壁部２ａおよびベアリングバー６と直交する方向、すなわち鉛直面内に沿って配置されている。
【００２３】
そして、この支持部材７の上縁部、すなわち上記の折曲部１１とその近傍の部分には、上記のベアリングバー６が嵌合するスリット状または切欠状のベアリングバー保持部１２，１３が形成され、上記のベアリングバー６はこれらのベアリングバー６内に嵌合するとともに溶接され、この支持部材７により支持されている。
【００２４】
また、上記の支持ウエブ部１０の下端部には、それぞれ上記の本体皿部材２の底壁部２ｂの下面に沿って突出された底壁接合部１４が一体に突設されている。また、この支持ウエブ部１０の一方の側縁部は上記の本体皿部材２の側壁部２ａに当接する側壁接合部１８に形成されている。そして、この側壁接合部１８は本体皿部材２の側壁部２ａの外面に当接し、また上記の底壁接合部１４はこの本体皿部材２の底壁部２ｂの下面に当接し、これら当接部分は溶接されて一体に接合されている。
【００２５】
また、上記の底壁接合部１４の先端部は、互いに対向するように略直角に折曲げられて先端折曲部１５が形成されており、これらの先端折曲部１５も上記の底壁部２ｂの下面に当接して溶接されている。したがって、これら底壁接合部１４と先端折曲部１５により、この本体皿部材２の底壁部２ｂの下面に矩形枠状の枠状部分１９が形成されている。そして、この枠状部分１９内には、合成ゴム等の弾性材料からなるブロック状の脚部材１７が密嵌状態で嵌合されている。
【００２６】
また、上記の支持ウエブ部１０の下角部は、段状に切除された切欠部１６が形成され、このスリット付きグレーチングを溝から着脱する際に、この支持ウエブ部１９の下角部が溝の枠体等と干渉するのを防止している。なお、このようなスリット付きグレーチングと溝の枠体等との間に隙間がほとんど形成されていないので、このスリット付きグレーチングを着脱する際には、上記のベアリングバー６の間の隙間から鉤状の工具を装入して支持部材７に引っ掛けることがなされるが、この場合に上記の切欠部１６は段状のものであり、斜めには切除されていないので、この切欠部１６に上記の鉤状の工具を引っ掛けても滑ることがなく、作業が容易かつ安全である。
【００２７】
次に、上記のようなスリット付きグレーチングの作用を説明する。まず、上記のベアリングバー６に作用する荷重は、主として上方からの荷重である。そして、このような荷重により、これらベアリングバー６が下方に撓むように変形する傾向を生じるが、このような撓みは上記の支持部材７により防止される。
【００２８】
この支持部材７は、一対の平板状の支持ウエブ部１０の面方向の荷重であり、よってこれらの荷重はこの支持ウエブ部１０の面方向の剪断荷重として支承される。このような平板状の部材は、その面方向の剪断荷重に対しては大きな剛性と強度を有している。そして、この支持ウエブ部１０に作用した剪断荷重は、その側壁接合部１８および底壁接合部１４を介して、本体皿部材２の側壁部２ａおよび底壁部２ｂにそれぞれ伝達される。この場合に、この支持ウエブ部１０は上記のようにその剛性が高いので、上記の側壁接合部１８および底壁接合部１４は本体皿部材２の補強部材として作用するとともに、本体皿部材２の側壁部２ａおよび底壁部２ｂの２箇所に荷重が均一に伝達され、この本体皿部材２に局部的な荷重が作用することがなく、局部的な変形が生じることはない。よって、この本体皿部材２の補強部材等は必要なく、部品点数が少なく、製造が容易でコストを低減することができる。
【００２９】
また、この実施形態では、上記の支持部材７は折曲部１１とその両側に形成された一対の平板状の支持ウエブ部１０とで箱状の構造をなしているので、構造的に強固であり、剛性等が一層向上する。
【００３０】
また、この実施形態では、底壁接合部１４と先端折曲部１５により本体皿部材２の底壁部２ｂの下面に矩形枠状の枠状部分１９が形成され、ここにブロック状の脚部材１７が密嵌状態で嵌合されているので、この脚の部分の構造が簡単で、製造コストを低減することができる。
【００３１】
また、この脚部材１７は枠状部分１９に嵌合しているので、このスリット付きグレーチングの長手方向に対してはずれることがない。よって、このスリット付きグレーチングを施工の終了した排水溝に装着する際に、このスリット付きグレーチングを排水溝の長手方向に摺動させた場合でも、この脚部材１７が脱落することを確実に防止することができる。
【００３２】
なお、この実施形態では、この脚部材１７は長手方向と直交する幅方向外側には機械的には拘束されていない。しかし、このようなスリット付きグレーチングは、排水溝に装着された場合には幅方向には数ｍｍ程度の隙間しかなく、このスリット付きグレーチングが排水溝内で幅方向に移動することは実質的にないので、このような構造であっても長期間の使用によってこれら脚部材１７が脱落するようなことはない。
【００３３】
なお、本発明は上記の実施形態には限定されない。たとえば、本発明はスリット付きグレーチングには限定されず、排水ます用のスリット付きグレーチング、またはその他のスリット付きグレーチング一般に適用することができることはもちろんである。また、上記の支持部材は必ずしも箱状の構造のものでなくてもよい。
【００３４】
【発明の効果】
上述の如く本発明によれば、ベアリングバーに作用する荷重は板状の支持ウエブ部の面方向に沿う剪断荷重として支承され、本体皿部材に伝達されて支持され、この荷重はこの支持ウエブ部の側壁接合部と底壁接合部とで本体皿部材の側壁部と底壁部に均一に伝達される。よってこの支持ウエブ部材自体がこの本体皿部材の補強部材として作用し、この本体皿部材の局部的な変形を防止し、ベアリングバーの中間部を高い剛性と強度で安定して支持することができる。また、このものは部品点数が支持部材１個であり、またその溶接工程も１工程ですみ、製造が容易でコストを大幅に低減することができる等、その効果は大である。
【図面の簡単な説明】
【図１】本発明の一実施形態のスリット付きグレーチングの斜視図。
【図２】一実施形態の支持部材の部分の分解斜視図。
【図３】図１のＡ−Ａ線に沿う断面図。
【図４】従来のスリット付きグレーチングの斜視図。
【図５】図４のＢ−Ｂ線に沿う断面図。
【符号の説明】
１  本体部
２  本体皿部材
５  格子部
６  ベアリングバー
７  支持部材
１０  支持ウエブ部
１４  底壁接合部
１８  側壁接合部
【図１】
0003836557.tif 000002
【図２】
0003836557.tif 000003
【図３】
0003836557.tif 000004
【図４】
0003836557.tif 000005
【図５】
0003836557.tif 000006